(57)【要約】【課題】シースの熱収縮率を低減できる光ケーブルを提供する。【解決手段】光ケーブル１０は、シリカ粉末が配合されたポリエチレンから構成されるシース１５が外周に施されている。また、シース１５を構成するシリカ粉末は繊維状または球状である。【選択図】図１
2015007680.tif 000002
【特許請求の範囲】
【請求項１】
シリカ粉末が配合されたポリエチレンから構成されるシースが外周に施されている、光ケーブル。
【請求項２】
前記シリカ粉末が繊維状である、請求項１に記載の光ケーブル。
【請求項３】
前記シリカ粉末が球状である、請求項１に記載の光ケーブル。
【請求項４】
前記シースの摩擦係数が、０．３以上０．４以下である、請求項１から請求項３のいずれか一項に記載の光ケーブル。
【請求項５】
前記シースの内側には少なくとも１つの溝を備えたスロットが設けられ、
前記少なくとも１つの溝内には光ファイバ心線が収容されている、
請求項１から請求項４のいずれか一項に記載の光ケーブル。
【発明の詳細な説明】
【技術分野】
【０００１】
本発明は、例えば、光ファイバを屋外から住宅内へ引き込むために配線される光ケーブルに関する。
【背景技術】
【０００２】
光ケーブルとして、少なくとも１本の螺旋状溝を有する略円柱形状の溝付スペーサの溝内に、光ファイバ心線を収納し、外周にプラスチック材料のシースを施したものが知られている（例えば、特許文献１参照）。
【先行技術文献】
【特許文献】
【０００３】
【特許文献１】特開平１１−４４８３２号公報
【特許文献２】特開２００２−３６５４９５号公報
【特許文献３】特開２０１０−９１８６２号公報
【発明の概要】
【発明が解決しようとする課題】
【０００４】
上記のような光ケーブルにおいて、光ケーブル敷設後に周囲の温度変化により、シースの長手方向の伸縮が発生する。光ケーブルは、シースが除去されて溝付スペーサが露出した状態でクロージャ内に収納される場合があるが、このクロージャ内でシースを固定しておく等の処理をしておかないと、シースの収縮により溝付スペーサの端部がクロージャから露出してしまうことがある。
【０００５】
本発明は、ポリエチレンシースの熱収縮率を低減できる光ケーブルを提供することを目的とする。
【課題を解決するための手段】
【０００６】
本発明の光ケーブルは、
シリカ粉末が配合されたポリエチレンから構成されるシースが外周に施されている。
【発明の効果】
【０００７】
本発明によれば、シースの熱収縮率を低減することができる。
【図面の簡単な説明】
【０００８】
【図１】本発明の実施形態に係る光ケーブルの一例を示す断面図である。
【図２】図１の光ケーブルの一部拡大断面図である。
【図３】図１の光ケーブルが光接続箱に収容された状態を示す断面図である。
【発明を実施するための形態】
【０００９】
[本願発明の実施形態の説明]
最初に本願発明の実施形態の内容を列記して説明する。
本願発明の実施形態に係る光ケーブルは、
（１）シリカ粉末が配合されたポリエチレンから構成されるシースが外周に施されている。
この構成によれば、シースの熱収縮率を低減することができるため、光接続箱に収容される光ケーブルの水密性を十分に確保しながら光接続箱の小型化が可能となるとともに、光接続箱内での光ケーブルの固定力を緩和できる。
【００１０】
（２）前記シリカ粉末が繊維状であることが好ましい。
この構成によれば、シースの押出し成型時に繊維状のシリカ粉末の長手方向がケーブル長手方向に揃う。そのため、ケーブル長手方向の収縮率を低減させることができる。
【００１１】
（３）前記シリカ粉末が球状であることが好ましい。
この構成によれば、シリカ粉末の配置が均一になりやすいため、光ケーブルがスロット型の場合に、スロット溝にシースが落ち込みにくくなる。
【００１２】
（４）前記シースの摩擦係数が、０．３以上０．４以下であることが好ましい。
シースの摩擦係数を上記範囲としておくことで、光ケーブルの低摩擦性の効果が十分に得られる。
【００１３】
（５）前記シースの内側には少なくとも１つの溝を備えたスロットが設けられ、
前記少なくとも１つの溝内には光ファイバ心線が収容されていることが好ましい。
本願発明の実施形態に係る光ケーブルは、いわゆるスロット型光ケーブルとして用いることが好適である。
【００１４】
[本願発明の実施形態の詳細]
以下、本発明に係る光ケーブルの例を、図面を参照して説明する。本実施形態においては光ケーブル１としてスロット型光ケーブルを例に説明する。
図１に示すように、本実施形態に係る光ケーブル１は、最外層であるシース１５の内側に、スロット１０を有している。
【００１５】
スロット１０は、プラスチック材料、例えばポリエチレンで作製され、その外周に複数の（ここでは、５つ）の溝１１が光ケーブル１の長手方向に沿って形成されている。溝１１内には、複数本の光ファイバテープ心線１２（光ファイバ心線の一例）が複数枚積層されて収容されている。光ファイバテープ心線１２は、複数本の光ファイバから構成されている。スロット１０の中心には抗張力体１３として例えば鋼線が設けられている。
【００１６】
スロット１０の外周には押さえ巻１４が巻き付けられており、これにより、光ファイバテープ心線１２が溝１１内に保持されている。押さえ巻１４をスロット１０の外周に巻き付けるには縦添え巻きあるいは螺旋巻きにより巻き付ける方法がある。押さえ巻１４が縦添え巻きされると、図２に示すように、押さえ巻１４ごとシース１５が溝１１内に落ち込んでしまうことがある。一方、螺旋巻きの場合には、スロット１０の周方向への張力が比較的大きいため、溝１１内への落ち込み量を抑制することができる。そのため、押さえ巻１４は、スロット１０の外周に螺旋状に巻き付けられていることが好ましい。
【００１７】
押さえ巻１４としては、例えば、所定の厚さを有するフィルム状に形成された導電性樹脂テープが用いられている。この導電性樹脂テープを構成する樹脂テープは、耐熱性、耐摩耗性などに優れたポリテトラフルオロエチレン（ＰＴＦＥ）樹脂等のフッ素系樹脂、ポリエチレンテレフタレート（ＰＥＴ）樹脂等のポリエステル系樹脂またはポリエチレン（ＰＥ）等から形成されている。
【００１８】
押さえ巻１４の周囲はシース１５によって覆われている。シース１５は、例えばポリエチレンにシリカ粉末が配合された材料から構成され、押さえ巻１４に覆われたスロット１０の外周にこの配合材料を押出し被覆することにより形成されている。ポリエチレンに対するシリカ粉末の含有量は１０質量％以下、特に１〜３質量％程度であることが好ましい。シリカ粉末の平均粒径は、数μｍ以下、例えば２〜３μｍであることが好ましい。これにより、シース１５の熱収縮率を低減させることができる。
また、シース１５に配合されるシリカ粉末は、繊維状または球状であることが好ましい。シリカ粉末が繊維状である場合には、シース１５の押出し成型時に繊維状であるシリカ粉末の長手方向が光ケーブル１の長手方向に揃う。そのため、ケーブル長手方向におけるシース１５の熱収縮率を低減させることができる。
一方、シリカ粉末が球状である場合には、シリカ粉末の配置が均一になりやすいため、シース１５の熱収縮率を低減できるとともに、スロット１０の溝１１内にシース１５が落ち込みにくくなる。
【００１９】
また、シース１５の摩擦係数は、シリカ粉末の含有量によって変化する。シリカ粉末の含有量が多いとシース１５が硬くなって摩擦係数が小さくなり、低摩擦性を満たす。一方、このシリカ粉末の含有量が多すぎると、シース１５を押し出し被覆する際に用いられる押出機のポリエチレンを溶かして押し出す部材（例えばスクリュー）が摩耗してしまう。したがって、低摩擦性の効果を十分に得ながら押出機の摩耗をできるだけ抑えるため、シース１５の摩擦係数が、０．３以上０．４以下となるように、シリカ粉末の含有量を設定することが好ましい。
【００２０】
図３に、光ケーブル１が光接続箱２０に収容された状態を示す。
図３に示されるように、光ケーブル１の一部においてシース１５が除去され、スロット１０が露出されている。露出されたスロット１０は、光接続箱２０内に収容される。光接続箱２０としては、例えば光ケーブル１のスロット１０に収容される光ファイバテープ心線１２の接続部および光ケーブル１のシース除去部分を保護収納するためのクロージャや光成端箱が用いられる。このとき、露出されたスロット１０の両端部のシース１５も光接続箱２０内に収容される。シース１５の収容部分にはゴムシール２１が設けられることにより防水処理が施され、光接続箱２０内での光ケーブル１の水密性が保たれている。
【００２１】
光接続箱２０は、屋外に布設されることも多いため、外気温の変化によるヒートサイクルの繰り返しによって光接続箱２０内に収容される光ケーブル１のシース１５に収縮が生じる。このシース１５の収縮率が大きいと、シース１５の光接続箱２０内に収容されるべき部分が収縮することにより、スロット１０およびスロット１０の溝１１内に収容された光ファイバテープ心線１２の水密性が保たれなくなる場合がある。従来は、シースの収縮量を見越して、光ケーブルのシース除去部分の水密性が保たれるように光接続箱内に光ケーブルを長めに収容していた。そのため、光接続箱が大型化してしまうという問題があった。また、シースの収縮を抑えて、光ケーブルのシース除去部分の水密性を保つため、光接続箱内でシースを強固に固定することが必要であった。
【００２２】
しかし、本実施形態の光ケーブル１によれば、シース１５はシリカ粉末が配合されたポリエチレンから構成されるため、シース１５の熱収縮率を低減させることができる。そのため、光接続箱２０内にシース１５を長めに収容しておかなくても光ケーブル１の水密性を十分に確保することができ、光接続箱２０の小型化が可能となる。また、光接続箱２０内での光ケーブル１の固定力を緩和することができる。
【００２３】
また、従来の光ケーブルにおいては、シースの熱収縮率が大きいため、図２に示すように、押さえ巻ごとシースがスロットの溝内に落ち込んでしまうことがあった。そのため、シースの落ち込みにより光ファイバ心線に側圧を与えることを防止するため、シースの落ち込み量を考慮して溝のスペース（深さ）を一定以上の大きさに保っておくことが必要であった。
しかし、本実施形態の光ケーブル１によれば、シース１５の熱収縮率を低減できるため、シース１５の溝１１内への落ち込みが抑制される。そのため、光ファイバテープ心線１２へ側圧を与えることを防止できるとともに、溝１１を従来よりも小さく設計して光ケーブル１の細径化を実現することができる。
【００２４】
また、シースの摩擦力が大きいと、光ケーブルを長距離布設したときに、架空で光ケーブルを吊架するためのハンガー等との摩擦により大きな張力が生じてしまう。そのため、従来は、光ケーブルを短距離に区切って個別に布設する必要があり、長距離布設時の作業性に劣っていた。また、ハンガー等との摩擦により生じる大きな張力に耐えうるように光ケーブル内の抗張力体を太径にする必要があった。
しかし、本実施形態の光ケーブル１によれば、低摩擦性のシース１５により外周が覆われているため、光ケーブル１を短距離区間に区切って布設する必要がなく、作業効率を向上させることができる。また、長距離布設時に光ケーブルに大きな張力がかかりにくいため、抗張力体１３を細径化して光ケーブル１のさらなる小型化を実現することができる。
【００２５】
以上、本発明を詳細にまた特定の実施態様を参照して説明したが、本発明の精神と範囲を逸脱することなく様々な変更や修正を加えることができることは当業者にとって明らかである。また、上記説明した構成部材の数、位置、形状等は上記実施の形態に限定されず、本発明を実施する上で好適な数、位置、形状等に変更することができる。
【００２６】
上記の実施形態においては、スロット１０の外周に光ファイバテープ心線１２を収容する複数の溝１１が設けられているが、溝１１は少なくとも１つ設けられていればよい。
【００２７】
光ケーブル１としては、上記の実施形態にて説明したスロット型光ケーブルだけではなく、ドロップケーブルやインドアケーブルなど、様々な光ケーブルに適用することができる。
【符号の説明】
【００２８】
１：光ケーブル
１０：スロット
１１：溝
１２：光ファイバテープ心線（光ファイバ心線の一例）
１３：抗張力体
１４：押さえ巻
１５：シース
２０：光接続箱
２１：ゴムシール
【図１】
2015007680.tif 000003
【図２】
2015007680.tif 000004
【図３】
2015007680.tif 000005